(57)【特許請求の範囲】
【請求項１】
前枠の裏側に装着される機構板をその前枠に固定するためのロック構造であって、
機構板に設けたロック受片と、
前枠側に軸着され、前記ロック受片をロックするロック位置と、そのロックを解除するアンロック位置とに回動し得るロック手段とからなり、
前記ロック受片は、アンロック位置にあるロック手段を通過させるに必要な基本形状に遊びスペースをプラスした形状の開口部を有し、
一方、ロック手段は、回転操作用の摘み部と、ロック受片に係合してクランプするロック片と、前記開口部の内周面に対向する回転胴部とからなり、さらにその回転胴部に、ロック手段がロック位置にあるとき前記開口部の内周面に圧接する形状のカム手段を設けてなることを特徴とする機構板のロック構造。
【発明の詳細な説明】
【０００１】
【発明の属する技術分野】
本発明は、前枠の裏側に装着される機構板をその前枠に固定するためのロック構造に関する。
【０００２】
【従来の技術】
一般にパチンコ機Ｐは、図１０に示したように、四角く枠組みした木又は合成樹脂製の外枠１と、その外枠１の前面に開閉自在に蝶着した前枠２と、前枠２の裏側に装着した機構板３と、から概略構成される。前記機構板３は、球タンク４、景品球排出装置５、入賞球処理装置６等の部品をセット化したものであり、四個のロック部材７，７…により前枠２と一体の桟枠２ａに固定される。また、機構板３は、前記桟枠２ａ（前枠２）に対して、図１０の右側辺に取り付けたヒンジ金具８で支持されていて、前記ロック部材７，７…のロックを解除することによりヒンジ金具８を中心としてドア状に開閉し得る。なお、機構板３の開閉は、入賞経路の途中で詰まったパチンコ球を除去したり、或いは遊技板を入れ替えるような場合に行われる。
【０００３】
【発明が解決しようとする課題】
機構板３は、自己の重量に、球タンク４にあるパチンコ球の重量が加わって非常に重い。しかも、重い球タンク４が前記ヒンジ金具８と反対の自由端側にあるため、ロック部材７，７…を解除して機構板３を開くと自然に自由端側が下がる。このように自由端側が下がった言わば傾いた状態のまま機構板３を閉じると、ロック部材７，７…の位置に狂いが生じるため、例えばロック部材７，７…が桟枠２ａに突設したフック金具（図示せず）に係合するタイプであると、そのフック金具がロック部材７，７…から外れた所に当たって機構板３を破損させる危険性がある。また、そのような危険性を回避するのに、機構板３の自由端側を手で支えて下がったロック部材７，７…の位置を補正する必要があるため、機構板３を開閉する作業の能率が悪い問題点があった。
【０００４】
【課題を解決するための手段】
本発明は上記に鑑みなされたもので、前枠の裏側に装着される機構板をその前枠に固定するためのロック構造であって、機構板に設けたロック受片と、前枠側に軸着され前記ロック受片をロックするロック位置とそのロックを解除するアンロック位置とに回動し得るロック手段とからなり、前記ロック受片は、アンロック位置にあるロック手段を通過させるに必要な基本形状に遊びスペースをプラスした形状の開口部を有し、一方、ロック手段は、回転操作用の摘み部と、ロック受片に係合してクランプするロック片と、前記開口部の内周面に対向する回転胴部とからなり、さらにその回転胴部に、ロック手段がロック位置にあるとき前記開口部の内周面に圧接する形状のカム手段を設けてなる機構板のロック構造を提供する。
【０００５】
本発明のロック構造は、アンロック位置にあるロック手段とロック受片の開口部の間に遊びスペースが設けてあるため、開いた機構板の自由端側が下がっていてもそれが遊びスペースの範囲内であれば、そのまま無造作に機構板を閉じてもロック手段が安全に開口部に入る。そして、機構板を閉じてからロック手段をロック位置に回動させると、回転胴部のカム手段がロック受片の開口部の内周面に圧接してロック手段をロック位置に止め、同時に回転胴部の輪郭に案内されて下がった機構板が正常な位置（高さ）に戻る。
【０００６】
【発明の実施の形態】
以下に本発明の実施の形態を図面を参照しつつ説明する。なお、図１はロック手段がアンロック位置にある状態を示す要部の正面図、図２は図１のＸ−Ｘ線断面図、図３はロック手段がロック位置にある状態を示す要部の正面図、図４はロック手段の分解斜視図、図５は桟枠、遊技板、機構板の分解斜視図である。これらの図面に対し、前記図１０と同一又は同機能部品に同一符号を付して詳細な説明を省略する。
【０００７】
機構板３には図１０のロック部材７，７…と同じ場所に図５に示したようなロック受片９が一体に形成されている。このロック受片９には変形六角形の穴形態である開口部９ａと、後述するロック手段１０の回動範囲を規制するストッパー９ｂが設けられている。なお、前記開口部９ａは裏側をリブ９ｃで囲うことにより補強してある。
【０００８】
一方、前枠２側の桟枠２ａには、前記ロック受片９と対をなすロック手段１０が取り付けられている。ロック手段１０は、ロック受片９の開口部９ａと相似形の変形六角形で遊びスペースＳ分だけ小さくした板状のロック片１０ａと、そのロック片１０ａの表側に突設した回転操作用の摘み部１０ｂと、ロック片１０ａの裏側に突設した回転胴部１０ｃと、回転胴部１０ｃの中心を通ってロック片１０ａを貫く軸孔１０ｄとからなり、その軸孔１０ｄに中心ネジ１１を通し、その中心ネジ１１を桟枠２ａの軸受筒２ｂに螺締めして前枠２に回動可能な状態で取り付けられる。前記回転胴部１０ｃは、ロック受片９の開口部９ａに対向するものであり、開口部９ａの上下内周面に内接する円弧状のカム手段１０ｅをロック片１０ａの長手方向に形成してなる。
【０００９】
なお、前記ロック手段１０と開口部９ａとの関係は、アンロック位置にあるロック手段１０を基準とした場合、ロック受片９の開口部９ａが、前記ロック手段１０を通過させるに必要な基本形状に遊びスペースＳをプラスした形状になっている、ということになる。
【００１０】
次ぎに機構板３を開閉する操作方法について説明する。先ず、機構板３をロックする前のロック手段１０は、図１のように全体が横向きに倒れた姿勢になっており、これがアンロック位置である。なお、ロック手段１０と前枠２（桟枠２ａ）の間に、ロック手段１０をアンロック位置に停止させるための振止め手段を設けておくとよい。そのような振止め手段としては、例えば図４に二点鎖線で示したように、桟枠２ａの軸受筒２ｂの外周面に突起２ｃを突設してそこに半球状の窪み部２ｄを形成し、一方、ロック手段１０の回転胴部１０ｃに前記窪み部２ｄに嵌合する半球状の凸部１０ｆを突設し、アンロック位置で窪み部２ｄと凸部１０ｆが噛み合うようにするのである。そうすることによりロック手段１０がアンロック位置で安定するから、機構板３の開閉作業が安全・迅速に行える。なお、ロック手段１０をロック位置に向けて強制的に回転させれば、凸部１０ｆが窪み部２ｄから外れて振止め手段が解除される。
【００１１】
前記のようにロック手段１０がアンロック位置にある状態で機構板３を閉じるとロック手段１０がロック受片９の開口部９ａを通り抜ける。このとき機構板３は自重と球タンク４のパチンコ球の重みで自由端側が下がり、開口部９ａが正規の位置より低くなっているが、アンロック位置にあるロック手段１０と開口部９ａの間に遊びスペースＳが設けられているため、そのまま無造作に機構板３を閉めてもロック手段１０が開口部９ａの縁に当たらない。
【００１２】
次ぎにロック手段１０の摘み部１０ｂを持ち、図３のようにロック片１０ａの側面がロック受片９のストッパー９ｂに当たるまで回す。そうすると、回転胴部１０ｃのカム手段１０ｅが開口部９ａの上下内周面に圧接し、摩擦抵抗の作用でロック手段１０が緩まない。そして、カム手段１０ｅが開口部９ａに圧接する段階で回転胴部１０ｃの輪郭に案内されて機構板３が上昇し、正常なセット位置（高さ）に戻る。また、ロック手段１０がロック位置にある状態でロック片１０ａがロック受片９の上に係合してクランプするため、機構板３が閉じた状態で確実に固定される。
【００１３】
次ぎに機構板３を開く場合は、ロック位置にあるロック手段１０を回動させて図１のアンロック位置に倒し、そのまま手前に引っ張ればよい。そうするとロック手段１０がロック受片９の開口部９ａを通過する。なお、遊技板１２には図５のようにロック手段１０を逃げる横向きＵ字状の切欠部１２ａが設けてあるため、ロック手段１０をアンロック位置にした状態で桟枠２ａから外し、又は取り付けることができる。
【００１４】
以上本発明を実施の形態について説明したが、もちろん本発明は上記実施形態に限定されるものではない。例えば、実施形態ではロック受片９の開口部９ａを完全な穴形態にしたが、図６（ａ），（ｂ）のように開口部９ａの形態を横Ｕ字状の切欠形態にしてもよい。この場合、開口部９ａの弧状部分Ｒの径に対して回転胴部１０ｃのカム手段１０ｅの径を若干大きく設定しておけば、ロック手段１０をロック位置に回転させた状態でカム手段１０ｅが開口部９ａの内周面に強く圧接する。また、回転胴部１０ｃのカム手段１０ｅの径は、開口部９ａの前記径に対して同一であってもよい。その場合でも機構板３の重量により開口部９ａの内周面とカム手段１０ｅが圧接し、緩み止めに必要な摩擦抵抗が得られるからである。なお、開口部９ａを横Ｕ字状にした構成において、図６（ａ）に二点鎖線で示したように、直線部分Ｔの幅を弧状部分Ｒの径より狭く設定するようにしてもよい。
【００１５】
また、開口部９ａは図７（ａ），（ｂ）に示したように、横Ｕ字状のさらに２分の１形態であってもよい。この場合でも機構板３の重量により開口部９ａの内周面とカム手段１０ｅが圧接し、緩み止めに必要な摩擦抵抗が得られる。なお、桟枠２ａに固定片２ｅを突設し、ロック位置に回動させたカム手段１０ｅと固定片２ｅでロック受片９を挟み付けるようにすれば、カム手段１０ｅにさらに強力な摩擦抵抗を発生させることができる。
【００１６】
また、実施形態ではロック手段１０と開口部９ａの遊びスペースＳを開口部９ａと同一面内に形成したが、例えば図８，図９のように遊びスペースＳを開口部９ａと直交する方向に形成してもよい。すなわち、図８，図９のロック手段１０の回転胴部１０ｃは、開口部９ａの内周面に対向する位置に円形のカム手段１０ｅを配置し、そのカム手段１０ｅの前方に円錐台形の誘導テーパ部１０ｇを設けてなる。そして、カム手段１０ｅの径に対して開口部９ａの弧状部分Ｒを同径か又はそれより若干小さい径に設定する。この場合の遊びスペースＳは、誘導テーパ部１０ｇの頂部と底部の径差であり、機構板３を閉じるときに開口部９ａとロック手段１０の位置に狂いがあったとしても、開口部９ａが誘導テーパ部１０ｇに案内されてスムーズにカム手段１０ｅに嵌まる。カム手段１０ｅの径が開口部９ａの弧状部分Ｒの径より大きい場合は、ロック受片９を強く押し込んで開口部９ａをカム手段１０ｅに嵌め込むようにすればよい。
【００１７】
さらにまた実施形態では、ロック手段１０を桟枠２ａに取り付けるのに金属製の中心ネジ１１を使用したが、例えばロック手段１０から合成樹脂製の軸を一体に突設し、それを軸受筒２ｂに嵌め合わせたり、或いは、桟枠２ａから合成樹脂製の軸を一体に突設し、それをロック手段１０に嵌め合わせるようにしてもよい。そうすることにより部品数の減少と、構成部品の材質を合成樹脂に統一することによるリサイクル効率の向上が可能である。
【００１８】
【発明の効果】
本発明は、アンロック位置にあるロック手段とロック受片の開口部に遊びスペースを設けるようにしたため、開いた機構板の自由端側が下がっていても、その変位が遊びスペースの範囲内であれば、ロック手段とロック受片を安全に結合させることができる。また、機構板を閉じてからロック手段をロック位置に回動させると、回転胴部のカム手段がロック受片の開口部の内周面に圧接してロック手段をロック位置に確実に止めるから、ロック手段が自然に緩んで機構板の固定が不十分になる、というようなおそれがない。さらにまた、ロック手段をロック位置に回動させると回転胴部の輪郭に案内されて下がった機構板がセット位置まで自動的に上昇するため、機構板の開閉作業が能率良く行える。
【図面の簡単な説明】
【図１】  ロック手段がアンロック位置にある状態を示す要部の正面図である。
【図２】  図１のＸ−Ｘ線断面図である。
【図３】  ロック手段がロック位置にある状態を示す要部の正面図である。
【図４】  ロック手段の分解斜視図である。
【図５】  桟枠、遊技板、機構板の分解斜視図である。
【図６】  （ａ）はロック手段がアンロック位置にある状態を示す要部の正面図、（ｂ）はロック手段がロック位置にある状態を示す要部の正面図である。
【図７】  （ａ）はロック手段がアンロック位置にある状態を示す要部の正面図、（ｂ）はロック手段がロック位置にある状態を示す要部の正面図である。
【図８】  ロック手段がアンロック位置にある状態を示す要部の正面図である。
【図９】  ロック手段の斜視図である。
【図１０】  従来のパチンコ機を示す裏面図である。
【符号の説明】
２    …前枠
３    …機構板
９    …ロック受片
９ａ  …開口部
１０  …ロック手段
１０ａ…ロック片
１０ｂ…摘み部
１０ｃ…回転胴部
１０ｅ…カム手段
【図１】
0003911831.tif 000002
【図２】
0003911831.tif 000003
【図３】
0003911831.tif 000004
【図４】
0003911831.tif 000005
【図５】
0003911831.tif 000006
【図６】
0003911831.tif 000007
【図７】
0003911831.tif 000008
【図８】
0003911831.tif 000009
【図９】
0003911831.tif 000010
【図１０】
0003911831.tif 000011